(57)【要約】【課題】助手席や後部座席等に設けられた表示素子のちらつきを防止できるパワーウインドウ装置を提供することにある。【解決手段】パワーウインドウ装置１は、車両に設けられたウインドウガラスを上昇または下降させるためのマスタスイッチ１７が設けられたマスタスイッチ部１１と、ウインドウガラスに対応して設けられたサブスイッチ部１０とを備えている。サブスイッチ部１０は、ウインドウガラスを上昇または下降させるためのサブスイッチ１３と、このサブスイッチ１３によってウインドウガラスを上昇または下降させることが可能か否かを示すために点灯または消灯される表示素子１４とを備えている。そして、表示素子１４には、コンデンサＣと抵抗Ｒ２によって構成される遅延回路２２が並列に備えられる。【選択図】      図１
2004322693.tif 000002
【特許請求の範囲】
【請求項１】
車両に設けられたウインドウガラスを上昇または下降させるためのマスタスイッチが設けられたマスタスイッチ部と、
前記ウインドウガラスに対応して設けられ、前記ウインドウガラスを上昇または下降させるためのサブスイッチと、該サブスイッチにより前記ウインドウガラスを上昇または下降させることが可能か否かを示すために点灯または消灯される表示素子とを備えたサブスイッチ部とを備え、前記表示素子が前記マスタスイッチを介して接地または電源に接続されたパワーウインドウ装置において、
前記表示素子と並列に遅延回路を備えたことを特徴とするパワーウインドウ装置。
【請求項２】
前記遅延回路は、電荷を供給する蓄電手段を設けたことを特徴とする請求項１に記載のパワーウインドウ装置。
【請求項３】
前記遅延回路は、コンデンサと直列に抵抗を備えることを特徴とする請求項１または請求項２に記載のパワーウインドウ装置。
【発明の詳細な説明】
【０００１】
【発明の属する技術分野】
本発明は、パワーウインドウ装置に関するものである。
【０００２】
【従来の技術】
近年、車両の利便性の向上を目的として、車両には種々のモータ装置が搭載されている。例えば、車両の多くには、ＤＣモータ等によりウインドウガラスを電動で上昇または下降させる、いわゆるパワーウインドウ装置が搭載されている。パワーウインドウ装置においては、操作者が操作スイッチ（例えば特許文献１参照）を操作すると、操作スイッチの操作態様に応じてモータの回転方向が決定され、モータの回転が機械的機構を介してウインドウガラスに伝えられることによってウインドウガラスが上昇または下降する。
【０００３】
一般に、操作スイッチはウインドウガラスの枚数分だけ設けられる。運転席近傍には、運転席に対応して設けられたウインドウガラスを上昇または下降させるための操作スイッチと共に、運転席以外のドアに設けられたウインドウガラスを上昇または下降させるための操作スイッチ（マスタスイッチ）が配設されている。操作者はマスタスイッチを操作することで、例えば助手席のドアに設けられたウインドウガラスを上昇または下降させることができる。一方、運転席以外の席には、その席に対応して設けられたウインドウガラスのみを上昇または下降させることができる操作スイッチ（サブスイッチ）を備えるサブスイッチ部が設けられている。
【０００４】
近年、サブスイッチ部にＬＥＤ等の表示素子を設け、該表示素子を点灯させることで、サブスイッチの操作によりウインドウガラスを上昇または下降させることが可能である旨を報知するようにしたパワーウインドウ装置が提供されている。
【０００５】
図４に従来のパワーウインドウ装置３０を示す。パワーウインドウ装置３０において、サブスイッチ部３１はマスタスイッチ部３２とモータＭとの間に接続され、マスタスイッチ（マスタＳＷ）３３を介して、ロックスイッチ（ロックＳＷ）３４、接地又は電源に接続されている。このように、マスタＳＷ３３とモータＭとの配線が利用されることでパワーウインドウ装置３０を構成する配線数が抑制されている。
【０００６】
このようなパワーウインドウ装置３０において、サブスイッチ部３１に設けられた表示素子３５は、端子Ｂと端子ＳＵ及び端子ＳＤとの間に接続され、しかも端子Ｂから端子ＳＵへ、または端子Ｂから端子ＳＤへ電流が流れた際に点灯するように接続されている。マスタＳＷ３３を操作すると、マスタＳＷ３３の図示しない可動接点と固定接点とが電気的に接続されて端子ＳＵまたは端子ＳＤが接地レベルになり、端子Ｂから端子ＳＵへ、または端子Ｂから端子ＳＤへ電流が流れる。従って、表示素子３５が点灯する。一方、マスタＳＷ３３はロックＳＷ３４を介して接地されているため、ロックＳＷ３４を開状態にすると、表示素子３５から接地までの電気的経路が切断され表示素子３５は消灯することになる。
【０００７】
【特許文献１】
特開平１１−１３４９５９号公報
【０００８】
【発明が解決しようとする課題】
ところが、マスタＳＷ３３が操作され、可動接点と固定接点との間の接続状態が変移する際、可動接点と固定接点とは一時的に非接触になる。このため、端子ＳＵまたは端子ＳＤと接地との間の電気的経路が瞬断され、表示素子３５は一時的に消灯する。
【０００９】
このように、サブスイッチ部３１に表示素子３５を設けた場合、マスタＳＷ３３を操作する際に表示素子３５が一時的に消灯してちらつくため、表示素子３５の見栄えが悪くなるといった問題がある。
【００１０】
本発明は、こうした実情に鑑みてなされたものであり、その目的は、助手席や後部座席等に設けられた表示素子のちらつきを防止できるパワーウインドウ装置を提供することにある。
【００１１】
【課題を解決するための手段】
上記の課題を解決するために、請求項１に記載の発明では、車両に設けられたウインドウガラスを上昇または下降させるためのマスタスイッチが設けられたマスタスイッチ部と、前記ウインドウガラスに対応して設けられ、前記ウインドウガラスを上昇または下降させるためのサブスイッチと、該サブスイッチにより前記ウインドウガラスを上昇または下降させることが可能か否かを示すために点灯または消灯される表示素子とを備えたサブスイッチ部とを備え、前記表示素子が前記マスタスイッチを介して接地または電源に接続されたパワーウインドウ装置において、前記表示素子と並列に遅延回路を備えたことを要旨とする。
【００１２】
この発明によれば、表示素子と並列に遅延回路が備えられる。このため、表示素子が消灯するまでの時間は遅延回路によって遅延される。マスタスイッチが操作されると、電源から表示素子、または表示素子から接地までの電気的経路が瞬断される。この電気的経路が瞬断される時間よりも表示素子が消灯する時間を遅延させることで表示素子を継続して点灯させることができる。従って、マスタスイッチが操作された際の表示素子のちらつきを防止することができる。
【００１３】
請求項２に記載の発明では、前記遅延回路は、電荷を供給する蓄電手段を設けたことを要旨とする。
この発明によれば、表示素子から接地または電源までの電気的経路が瞬断された際、蓄電手段から表示素子に対して電荷が供給されることによって表示素子が消灯するまでの時間は遅延される。よって、マスタスイッチが操作された際の表示素子のちらつきを防止することができる。
【００１４】
請求項３に記載の発明では、前記遅延回路は、前記コンデンサと直列に抵抗を備えることを要旨とする。
この発明によれば、コンデンサと直列に抵抗が接続される。このため、コンデンサの放電による電流が制限され、コンデンサの放電時間を長くすることができる。従って、表示素子が消灯するまでの時間を一層遅延させることができる。また、コンデンサの放電時間が長くなることによりコンデンサの容量を小さくすることができ、遅延回路の設置スペースを抑制できる。
【００１５】
【発明の実施の形態】
以下、本発明を車両のパワーウインドウ装置に具体化した一実施形態を図１〜図３に従って説明する。
【００１６】
図１及び図２に示すように、パワーウインドウ装置１は、サブスイッチ部１０と、マスタスイッチ部１１と、ウインドウガラス１２と機械的機構を介して接続されたモータＭとを備える。モータＭが回転することよりウインドウガラス１２が上昇または下降する。
【００１７】
サブスイッチ部１０は、ウインドウガラス１２に対応して設けられ、サブスイッチ（サブＳＷ）１３と表示素子１４とを備える。サブＳＷ１３は、例えば図２に示すように助手席ドア１５のドアアームレスト１６上に設けられる。本実施形態において、表示素子１４はＬＥＤであり、この表示素子１４からの光を透過するようにサブＳＷ１３は形成されている。
【００１８】
表示素子１４のカソードは、抵抗Ｒ１とダイオードＤ１とを介して端子ＳＵに接続されるとともに、抵抗Ｒ１とダイオードＤ２とを介して端子ＳＤに接続される。端子ＳＵ及び端子ＳＤは、マスタスイッチ部１１に設けられたマスタスイッチ（マスタＳＷ）１７に接続される。
【００１９】
マスタＳＷ１７は、例えば、図示しない運転席ドアのドアアームレスト上に設けられる。マスタＳＷ１７は、図１及び図３に示すように、固定接点として、端子Ｅ１、端子Ｍ１、端子ＢＴ、端子Ｍ２、端子Ｅ２を備える。マスタＳＷ１７において、端子Ｍ１は端子ＳＵに接続され、端子Ｍ２は端子ＳＤに接続される。端子ＢＴはイグニッションスイッチ（イグニッションＳＷ）１８を介してバッテリ（＋Ｂ）に接続され、端子Ｅ１及び端子Ｅ２はロックスイッチ（ロックＳＷ）１９を介して接地される。
【００２０】
また、マスタＳＷ１７は、操作体１７ａを備える。操作体１７ａには、第１可動接点１７ｂ及び第２可動接点１７ｃが設けられている。操作体１７ａが操作されると、第１可動接点１７ｂ及び第２可動接点１７ｃが移動することにより、端子Ｍ１には端子Ｅ１または端子ＢＴのいずれかが接続され、端子Ｍ２には端子Ｅ２または端子ＢＴのいずれかが接続される。つまり、操作体１７ａが移動することにより、端子Ｍ１及び端子Ｍ２の電圧は、バッテリ（＋Ｂ）レベルまたは接地レベルのいずれかになる。
【００２１】
サブＳＷ１３は、上昇スイッチ（上昇ＳＷ）２０と、下降スイッチ（下降ＳＷ）２１とを備える。上昇ＳＷ２０は、端子Ｕに接続された可動接点２０ａと、端子Ｂに接続された固定接点２０ｂ、端子ＳＵに接続された固定接点２０ｃとを備える。下降ＳＷ２１は、端子Ｄに接続された可動接点２１ａと、端子Ｂに接続された固定接点２１ｂ、端子ＳＤに接続された固定接点２１ｃとを備える。
【００２２】
端子Ｕと端子Ｄとの間にはモータＭが接続される。本実施形態においてモータＭはＤＣモータであり、端子Ｕと端子Ｄとの間に流れる駆動電流の方向によって回転方向が決定され、モータＭの回転方向によってウインドウガラス１２は上昇または下降される。詳しくは、サブＳＷ１３の操作により上昇ＳＷ２０の固定接点２０ｂと可動接点２０ａとが接続されると、電流は、バッテリ（＋Ｂ）、イグニッションＳＷ１８、端子Ｂ、固定接点２０ｂ、可動接点２０ａ、端子Ｕの順に流れる。そして、電流は、端子Ｕから端子Ｄ、可動接点２１ａ、固定接点２１ｃ、端子ＳＤ、マスタＳＷ１７、ロックＳＷ１９、接地の順に流れる。このため、端子Ｕから端子Ｄの方向に電流が流れ、モータＭはウインドウガラス１２を上昇させる方向に回転する。一方、サブＳＷ１３の操作により下降ＳＷ２１の固定接点２１ｂと可動接点２１ａとが接続されると、電流は、バッテリ（＋Ｂ）、イグニッションＳＷ１８、端子Ｂ、固定接点２１ｂ、可動接点２１ａ、端子Ｄの順に流れる。そして、電流は、端子Ｄから端子Ｕ、可動接点２０ａ、固定接点２０ｃ、端子ＳＵ、マスタＳＷ１７、ロックＳＷ１９、接地の順に流れる。このため、端子Ｄから端子Ｕの方向に電流が流れ、モータＭはウインドウガラス１２を下降させる方向に回転する。なお、図１において、サブＳＷ１３が操作されない場合の可動接点２０ａ，２１ａの位置を実線で、操作された場合における可動接点２０ａ，２１ａの位置を破線で示す。
【００２３】
このように、ウインドウガラス１２を上昇または下降させるいずれの場合も電流はマスタＳＷ１７を介して流れるため、マスタＳＷ１７内の接続状態を変移させることによってモータＭの回転方向を変えることができる。つまり、マスタＳＷ１７の操作によってもウインドウガラス１２を上昇または下降させることができる。
【００２４】
表示素子１４のアノードには、サブＳＷ１３が接続されている。また、表示素子１４のアノードは端子Ｂに接続され、端子ＢからイグニッションＳＷ１８を介してバッテリ（＋Ｂ）に接続される。イグニッションＳＷ１８が閉状態となり、さらにロックＳＷ１９が閉状態となると、端子Ｂ、表示素子１４、抵抗Ｒ１、ダイオードＤ１またはダイオードＤ２、マスタＳＷ１７、ロックＳＷ１９の順に電流が流れて表示素子１４は点灯する。一方、ロックＳＷ１９が開状態となると、マスタＳＷ１７及びサブＳＷ１３は接地から切り離され、表示素子１４は消灯する。つまり、ロックＳＷ１９の開閉状態によってウインドウガラス１２を上昇または下降させることが可能または不可能となり、それが可能な場合には表示素子１４が点灯し、不可能な場合には消灯することになる。このため、操作者は、サブＳＷ１３の操作によりウインドウガラス１２を上昇または下降させることが可能か否かを、表示素子１４が点灯しているか否かにより確認することができる。
【００２５】
表示素子１４及び抵抗Ｒ１には、遅延回路２２が並列に接続される。遅延回路２２は、蓄電手段としてのコンデンサＣと、このコンデンサＣと直列に接続される抵抗Ｒ２とを備える。
【００２６】
次に、マスタＳＷ１７が操作された場合のパワーウインドウ装置１の動作について図１及び図３に従って説明する。
図１にマスタＳＷ１７の操作にともなう端子間の接続表を示す。また、図３にはマスタＳＷ１７の概略構成図を示す。接続表の左端列にはウインドウガラス１２の動作態様を、第１行目及び第７行目にはマスタＳＷ１７の端子名を示す。接続表中において、端子間の接続状態を丸印で表し、端子間の非接続状態をバツ印で表す。
【００２７】
図３において、第１可動接点１７ｂ上及び第２可動接点１７ｃ上の丸印は、その端子と操作体１７ａとが接触していることを示す。例えば、図３（ａ）において、第１可動接点１７ｂと端子Ｅ１とのオーバーラップ部分の丸印は、第１可動接点１７ｂと端子Ｅ１とが接触し、電気的に接続されることを示す。なお、端子Ｍ１及び端子Ｍ２の形状は、操作体１７ａと各端子とが非接触となる瞬間に発生するアークによってマスタＳＷ１７の耐久性能が低下してしまうのを防止するために略凹型に形成されている。
【００２８】
マスタＳＷ１７が操作されない場合（図３（ａ））、すなわち、ウインドウガラス１２が停止している場合、図１の接続表に示すように、第１可動接点１７ｂによって端子Ｅ１と端子Ｍ１とが接続されるとともに、第２可動接点１７ｃによって端子Ｍ２と端子Ｅ２とが接続される。このため、端子Ｍ１及び端子Ｍ２の電圧は接地レベルとなる。従って、端子ＳＵ及び端子ＳＤは共に接地レベルとなり、表示素子１４が点灯されるとともにコンデンサＣは蓄電される。
【００２９】
次に、ウインドウガラス１２を上昇させるためにマスタＳＷ１７が操作された場合、この操作体１７ａの移動途中（図３（ｂ））において、第１可動接点１７ｂと端子Ｍ１とが非接触となるとともに、第２可動接点１７ｃはどの端子とも非接触となる。このため、端子ＳＵ及び端子ＳＤから接地までの電気的経路が瞬断される。このとき、コンデンサＣの放電による電流が表示素子１４に流れ、すなわちコンデンサＣから電荷が表示素子１４に供給され、表示素子１４は継続して点灯する。コンデンサＣの放電時間は、抵抗Ｒ２の抵抗値及びコンデンサＣの容量によって決定される。詳しくは、抵抗Ｒ２の抵抗値またはコンデンサＣの容量を大きくするとコンデンサＣの放電時間は長くなる。本実施形態においては、端子ＳＵ及び端子ＳＤから接地までの電気的経路が瞬断される時間に基づいて抵抗Ｒ２の抵抗値及びコンデンサＣの容量が設定されている。
【００３０】
その後図３（ｃ）に示す位置まで操作体１７ａが移動されると、第１可動接点１７ｂと端子Ｍ１とが再び接続されるとともに、第２可動接点１７ｃによって端子ＢＴと端子Ｍ２とが接続される。このため、端子Ｍ１の電圧は再び接地レベルとなり、端子Ｍ２の電圧は接地レベルからバッテリ（＋Ｂ）レベルに変移する。従って、端子ＳＵの電圧は接地レベルに、端子ＳＤの電圧はバッテリ（＋Ｂ）レベルになり、表示素子１４から抵抗Ｒ１、ダイオードＤ１、端子ＳＵ、端子Ｍ１、端子Ｅ１、ロックＳＷ１９、接地の順に電流が流れて表示素子１４が継続して点灯するとともにコンデンサＣが蓄電される。
【００３１】
次に、ウインドウガラス１２を下降させるためにマスタＳＷ１７が操作された場合、この操作体１７ａの移動途中（図３（ｄ））において、第１可動接点１７ｂがどの端子とも非接触となるとともに、第２可動接点１７ｃは端子Ｍ２と非接触になる。このため、端子ＳＵ及び端子ＳＤから接地までの電気的経路が瞬断され、コンデンサＣの放電による電流が表示素子１４に流れる。そのため、表示素子１４は継続して点灯する。
【００３２】
その後図３（ｅ）に示す位置まで操作体１７ａが移動されると、第１可動接点１７ｂによって端子Ｍ１と端子ＢＴとが接続されるとともに、第２可動接点１７ｃと端子Ｍ２とが再び接続される。このため、端子Ｍ１の電圧が接地レベルからバッテリ（＋Ｂ）レベルに変移するとともに、端子Ｍ２の電圧は再び接地レベルとなる。従って、端子ＳＵの電圧はバッテリ（＋Ｂ）レベルに、端子ＳＤの電圧は接地レベルになり、表示素子１４から抵抗Ｒ１、ダイオードＤ２、端子ＳＤ、端子Ｍ２、端子Ｅ２、ロックＳＷ１９、接地の順に電流が流れて表示素子１４が継続して点灯するとともにコンデンサＣが蓄電される。
【００３３】
従って上記実施形態のパワーウインドウ装置によれば、以下のような効果を得ることができる。
（１）マスタＳＷ１７が操作され、端子ＳＵ及び端子ＳＤから接地までの電気的経路が瞬断された場合には、コンデンサＣから電荷が供給されることにより表示素子１４は継続して点灯する。従って、マスタＳＷ１７が操作された際の表示素子１４のちらつきを防止することができる。
【００３４】
（２）遅延回路２２は、コンデンサＣと、このコンデンサＣと直列に接続される抵抗Ｒ２とを備える。このため、コンデンサＣの放電による電流が抵抗Ｒ２によって制限されるためコンデンサＣの放電時間を長くすることができ、表示素子１４が消灯するまでの時間を一層遅延させることができる。従って、マスタＳＷ１７が操作された際の表示素子１４のちらつきを一層防止することができる。
【００３５】
また、コンデンサＣの放電時間が長くなることによりコンデンサＣの容量を小さくすることができるため、遅延回路２２の設置スペースを抑制でき、サブスイッチ部１０が大型化するのを抑制できる。
【００３６】
（３）抵抗Ｒ２の抵抗値及びコンデンサＣの容量は、端子ＳＵ及び端子ＳＤから接地までの電気的経路が瞬断される時間に基づいて設定される。そのため、端子ＳＵまたは端子ＳＤから接地までの電気的経路が瞬断されている間において、表示素子１４は確実に継続して点灯する。従って、マスタＳＷ１７が操作された際の表示素子１４のちらつきを確実に防止することができる。
【００３７】
なお、本実施形態は以下のように変更してもよい。
・遅延回路２２は、電池及び瞬断検出回路を備え、端子ＳＵ及び端子ＳＤから接地までの経路が瞬断されたことを瞬断検出回路により検出し、端子ＳＵ及び端子ＳＤから接地までの電気的経路が瞬断された際には電池から電力を供給するように変更されてもよい。
【００３８】
次に、本実施形態及び他の実施形態から把握できる技術的思想について以下に追記する。
（１）請求項１〜請求項３のいずれか１項に記載のパワーウインドウ装置において、前記マスタスイッチ部には、前記マスタスイッチ及び前記サブスイッチを接地から切り離すロックスイッチが設けられ、前記表示素子は該ロックスイッチの操作により点灯または消灯すること。
【００３９】
（２）請求項１〜請求項３、技術的思想（１）のいずれか１項に記載のパワーウインドウ装置において、前記遅延回路による遅延時間は、前記表示素子から接地または電源までの電気的経路が瞬断される時間に基づいて設定されること。
【００４０】
【発明の効果】
本発明によれば、助手席や後部座席等に設けられた表示器のちらつきを防止できるパワーウインドウ装置を提供することができる。
【図面の簡単な説明】
【図１】本実施形態におけるパワーウインドウ装置の概略回路図。
【図２】本実施形態におけるパワーウインドウ装置が設けられたドアを示す平面図。
【図３】（ａ）〜（ｅ）は、本実施形態におけるパワーウインドウ装置において、マスタＳＷの動作を説明するための図。
【図４】従来のパワーウインドウ装置の概略ブロック図。
【符号の説明】
１・・・パワーウインドウ装置、１０・・・サブスイッチ部、１１・・・マスタスイッチ部、１２・・・ウインドウガラス、１３・・・サブスイッチ（サブＳＷ）、１４・・・表示素子、１７・・・マスタスイッチ（マスタＳＷ）、２０・・・上昇スイッチ（上昇ＳＷ）、２１・・・下降スイッチ（下降ＳＷ）、２２・・・遅延回路、Ｃ・・・蓄電手段としてのコンデンサ、Ｒ１，Ｒ２・・・抵抗。
【図１】
2004322693.tif 000003
【図２】
2004322693.tif 000004
【図３】
2004322693.tif 000005
【図４】
2004322693.tif 000006